(57)【要約】【課題】異なる種類の飲料を一緒に購入でき、飲料が売れる人気度合いに応じて、充填される飲料の組み合わせを容易に変えることができる自動販売機で販売可能な飲料容器を提供することである。【解決手段】飲料容器を一端側に個別の抽出口４を有する２つの別体のペットボトル容器１ａ、１ｂで形成して、これらの各ペットボトル容器１ａ、１ｂに異なる飲料を充填し、これらのペットボトル容器１ａ、１ｂを、並列に平坦な密着面３で密着させてプラスチックテープ２で緊縛することにより合体し、合体されたペットボトル容器１ａ、１ｂの寸法形状が、自動販売機のマガジンに貯えられ、その商品取り出し口に供給できる所定の寸法形状になるようにした。【選択図】図１
2011240955.tif 000002
【特許請求の範囲】
【請求項１】
自動販売機のマガジンに、充填された飲料の種類別に貯えられ、料金を投入して希望の飲料の商品を選択したときに商品取り出し口に供給されるように、所定の寸法形状に形成された飲料容器において、前記飲料容器を一端側に個別の抽出口を有する複数の別体の容器で形成して、これらの各容器に異なる飲料を充填し、前記複数の別体の容器を互いに平坦な密着面で密着させて合体させる手段を設けて、これらの別体の容器を合体させたときに前記所定の寸法形状になるようにしたことを特徴とする飲料容器。
【請求項２】
前記複数の別体の容器を、前記個別の抽出口を同じ側に向けて並列に合体させた請求項１に記載の飲料容器。
【請求項３】
前記複数の別体の容器を並列に合体させる手段が、平坦な密着面で並列に密着させた各容器を帯状部材で緊縛するものである請求項２に記載の飲料容器。
【請求項４】
前記複数の別体の容器を並列に合体させる手段が、平坦な密着面で並列に密着させた各容器を接着部材で接着するものである請求項２に記載の飲料容器。
【発明の詳細な説明】
【技術分野】
【０００１】
本発明は、自動販売機で販売可能な飲料の飲料容器に関する。
【背景技術】
【０００２】
自動販売機で販売可能な飲料の飲料容器の種類は、大別すると、スチール缶やアルミニウム缶等の缶容器、ペットボトルや壜等のボトル容器、角筒状等の紙パック容器に大別され、通常、一端側に飲料の抽出口が設けられている。また、これらの飲料容器に充填される飲料の種類は、水、果汁飲料、コーヒー飲料、茶飲料、乳飲料、炭酸飲料、スポーツ飲料、アルコール飲料等様々である。
【０００３】
これらの飲料容器は、自動販売機のマガジンに、充填された飲料の種類別に貯えられ、料金を投入して希望の飲料の商品を選択したときに商品取り出し口に供給されるように、一定容量の所定の寸法形状に形成されている。これらの飲料容器に充填された飲料は、コンビニエンスストアやスーパーマーケット等の店頭に陳列されて販売されることもある。
【０００４】
自動販売機で販売されている従来の飲料容器は、１つの飲料容器に１種類の飲料が充填されている。なお、自動販売機での販売を念頭に置かない一般的な飲料容器では、容器内に仕切を設け、２種類以上の飲料を分けて充填したものもある（例えば、特許文献１−３参照）。
【先行技術文献】
【特許文献】
【０００５】
【特許文献１】実開昭６３−１１４９０９号公報
【特許文献２】実開昭６３−１２６２１９号公報
【特許文献３】特開平１−２９４４３８号公報
【発明の概要】
【発明が解決しようとする課題】
【０００６】
上述したように、自動販売機で販売されている従来の飲料容器は、自動販売機のタイプに応じた所定の寸法形状で一定容量とされ、１種類ずつの飲料が充填されているので、異なる種類の飲料を少しずつ飲みたいときは、それぞれの飲料を別々に購入することになる。このため、料金が高くなるのみでなく、必要量以上の飲料が余って無駄になる問題がある。
【０００７】
このような問題に対しては、特許文献１〜３に記載された一般的な飲料容器のように、容器内に仕切を設け、異なる種類の飲料を分けて充填することが考えられるが、このような容器内に仕切を設けた飲料容器は、工場での飲料の充填工程で飲料の組み合わせを決める必要があるので、飲料が売れる人気度合いに応じて、飲料の充填後に組み合わせを変えることができず、人気のある組み合わせの飲料が品切れとなったり、不人気の組み合わせの飲料が売れ残ったりする問題がある。
【０００８】
そこで、本発明の課題は、異なる種類の飲料を一緒に購入でき、飲料が売れる人気度合いに応じて、充填される飲料の組み合わせを容易に変えることができる自動販売機で販売可能な飲料容器を提供することである。
【課題を解決するための手段】
【０００９】
上記の課題を解決するために、本発明は、自動販売機のマガジンに、充填された飲料の種類別に貯えられ、料金を投入して希望の飲料の商品を選択したときに商品取り出し口に供給されるように、所定の寸法形状に形成された飲料容器において、前記飲料容器を一端側に個別の抽出口を有する複数の別体の容器で形成して、これらの各容器に異なる飲料を充填し、前記複数の別体の容器を互いに平坦な密着面で密着させて合体させる手段を設けて、これらの別体の容器を合体させたときに前記所定の寸法形状になるようにした構成を採用した。
【００１０】
すなわち、飲料容器を一端側に個別の抽出口を有する複数の別体の容器で形成して、これらの各容器に異なる飲料を充填し、複数の別体の容器を互いに平坦な密着面で密着させて合体させる手段を設けて、これらの別体の容器を合体させたときに所定の寸法形状になるようにすることにより、自動販売機のマガジンに貯えられ、商品取り出し口に分離することなく供給されるようにし、異なる種類の飲料を一緒に購入できるようにするとともに、飲料が売れる人気度合いに応じて、異なる飲料が充填された別体の容器を合体させる組み合わせを変えて、飲料の組み合わせを容易に変えることができるようにした。
【００１１】
前記複数の別体の容器を、前記個別の抽出口を同じ側に向けて並列に合体させることにより、別体の容器を安定して合体させることができる。
【００１２】
前記複数の別体の容器を並列に合体させる手段は、平坦な密着面で並列に密着させた各容器を帯状部材で緊縛するものとすることができる。
【００１３】
前記複数の別体の容器を並列に合体させる手段は、平坦な密着面で並列に密着させた各容器を接着部材で接着するものとすることもできる。
【発明の効果】
【００１４】
本発明の飲料容器は、飲料容器を一端側に個別の抽出口を有する複数の別体の容器で形成して、これらの各容器に異なる飲料を充填し、複数の別体の容器を互いに平坦な密着面で密着させて合体させる手段を設けて、これらの別体の容器を合体させたときに所定の寸法形状になるようにしたので、自動販売機のマガジンに貯えられ、商品取り出し口に分離することなく供給され、異なる種類の飲料を一緒に購入できるとともに、飲料が売れる人気度合いに応じて、飲料の組み合わせを容易に変えることができる。
【図面の簡単な説明】
【００１５】
【図１】第１の実施形態の飲料容器を示す側面図
【図２】図１の平面図
【図３】図１の抽出口部の縦断面図
【図４】第２の実施形態の飲料容器を示す側面図
【図５】図４の平面図
【図６】第３の実施形態の飲料容器を示す側面図
【図７】図６の分解斜視図
【図８】第４の実施形態の飲料容器を示す側面図
【図９】図８の平面図
【発明を実施するための形態】
【００１６】
以下、図面に基づき、本発明の実施形態を説明する。図１乃至図３は、第１の実施形態を示す。この飲料容器は、図１および図２に示すように、２つの別体のペットボトル容器１ａ、１ｂを、帯状部材としてのプラスチックテープ２で緊縛して、並列に合体したものであり、各ペットボトル容器１ａ、１ｂの断面形状は半円形とされ、円弧面と反対側の平坦な密着面３で密着されて合体されたペットボトル容器１ａ、１ｂの断面形状は円形とされている。各ペットボトル容器１ａ、１ｂの容量は２５０ｃｃとされ、合体されたペットボトル容器１ａ、１ｂは、従来の５００ｃｃの丸形ペットボトルと同じ寸法形状とされている。
【００１７】
図２および図３に示すように、前記合体されたペットボトル容器１ａ、１ｂの個別の抽出口４は、半円形断面とされて同じ側に向けられ、共通の円形キャップ５が取り付けられている。また、各抽出口４には個別の内蓋６も取り付けられている。
【００１８】
前記各ペットボトル容器１ａ、１ｂには、水や各種の果汁飲料、コーヒー飲料、茶飲料、乳飲料、炭酸飲料、スポーツ飲料等が工場で充填されており、これらのうちの異なる飲料が充填されたペットボトル容器１ａ、１ｂが合体されて、その飲料の組み合わせの種類別に、自動販売機の５００ｃｃのペットボトル用のマガジンに貯えられ、顧客の選択に応じて商品取り出し口に供給される。このペットボトル容器１ａ、１ｂを合体した飲料容器は、コンビニエンスストアやスーパーマーケット等の店頭に陳列して販売することもできる。
【００１９】
図４および図５は、第２の実施形態を示す。この飲料容器も、異なる飲料が充填された２つの別体のペットボトル容器１ａ、１ｂを並列に密着させて、プラスチックテープ２で緊縛して合体し、合体されたペットボトル容器１ａ、１ｂの断面形状が、平坦な密着面３と反対側のコーナ部が丸められた、略正方形の断面形状とされたものであり、同じ側に向けられた各抽出口４に個別のキャップ５が取り付けられている点が、第１の実施形態のものと異なる。この実施形態では、各ペットボトル容器１ａ、１ｂの容量は２５０ｃｃとされ、合体されたペットボトル容器１ａ、１ｂは、従来の５００ｃｃの角形ペットボトルと同じ寸法形状とされており、自動販売機の５００ｃｃのペットボトル用のマガジンに、その飲料の組み合わせの種類別に貯えられる。この飲料容器も、店頭に陳列して販売することもできる。
【００２０】
図６および図７は、第３の実施形態を示す。この飲料容器は、矩形断面の２つの別体の紙パック容器１１ａ、１１ｂを並列に密着させて、接着部材としての両面に接着剤が塗布された紙製の接着板１２を介して平坦な密着面１３を接着して合体したものである。合体された紙パック容器１１ａ、１１ｂは正方形の断面形状になっており、各紙パック容器１１ａ、１１ｂの上面が外向きに傾斜して、この傾斜した上面に設けられた個別の抽出口１４に、それぞれキャップ１５が取り付けられている。各紙パック容器１１ａ、１１ｂの容量は５００ｃｃとされ、合体された紙パック容器１１ａ、１１ｂは、従来の１０００ｃｃの紙パック容器と同じ寸法形状とされている。
【００２１】
前記各紙パック容器１１ａ、１１ｂには、各種の果汁飲料、コーヒー飲料、茶飲料、乳飲料、炭酸飲料、スポーツ飲料、アルコール飲料等が充填されており、これらのうちの異なる飲料が充填された紙パック容器１１ａ、１１ｂが合体されて、その飲料の組み合わせの種類別に、自動販売機の１０００ｃｃの紙パック容器用のマガジンに貯えられ、顧客の選択に応じて商品取り出し口に供給される。この飲料容器も、店頭に陳列して販売することもできる。
【００２２】
図８および図９は、第４の実施形態を示す。この飲料容器は、半円形断面の２つの別体の缶容器２１ａ、２１ｂを、円弧面と反対側の平坦な密着面２３で並列に密着させて、プラスチックテープ２２で緊縛して合体し、合体された缶容器２１ａ、２１ｂの断面形状が円形とされたものであり、各缶容器２１ａ、２１ｂはアルミニウムまたはスチールで形成され、その上面にプルタブ２４と、プルタブ２４の引き上げで開口する抽出口２５が設けられている。各缶容器２１ａ、２１ｂの容量は１７５ｃｃとされ、合体された缶容器２１ａ、２１ｂは、従来の３５０ｃｃの缶容器と同じ寸法形状とされている。
【００２３】
前記各缶容器２１ａ、２１ｂには、各種の果汁飲料、コーヒー飲料、茶飲料、乳飲料、炭酸飲料、スポーツ飲料、アルコール飲料等が充填されており、これらのうちの異なる飲料が充填された缶容器２１ａ、２１ｂが合体されて、その飲料の組み合わせの種類別に、自動販売機の３５０ｃｃの缶容器用のマガジンに貯えられ、顧客の選択に応じて商品取り出し口に供給される。この飲料容器も、店頭に陳列して販売することもできる。
【００２４】
上述した各実施形態では、異なる飲料が充填される２つの別体の容器を並列に合体させるようにしたが、３つ以上の別体の容器を合体させることもできる。また、合体された容器の容量と寸法形状は、各実施形態のものに限定されることはなく、自動販売機のマガジンに貯えられ、その商品取り出し口に供給できるものであればよい。
【符号の説明】
【００２５】
１ａ、１ｂ  ペットボトル容器
２  プラスチックテープ
３  密着面
４  抽出口
５  キャップ
６  内蓋
１１ａ、１１ｂ  紙パック容器
１２  接着板
１３  密着面
１４  抽出口
１５  キャップ
２１ａ、２１ｂ  缶容器
２２  プラスチックテープ
２３  密着面
２４  プルタブ
２５  抽出口
【図１】
2011240955.tif 000003
【図２】
2011240955.tif 000004
【図３】
2011240955.tif 000005
【図４】
2011240955.tif 000006
【図５】
2011240955.tif 000007
【図６】
2011240955.tif 000008
【図７】
2011240955.tif 000009
【図８】
2011240955.tif 000010
【図９】
2011240955.tif 000011